(57)【要約】【課題】表示用画像のデータサイズをユーザーが直感的に把握できるスライドショーを行う。【解決手段】Ｐ番目の画像のデータサイズＤを取得し（ステップＳ１２０）、データサイズＤが大きいほど大きい値になるように繰り返し数Ｒ，拡大率Ｅを導出する（ステップＳ１３０）。その後、魚釣りに見立てて画像を釣る様子及び画像が釣れた様子を表す第１釣り動画，第２釣り動画，釣り成功動画をＬＣＤに表示する（ステップＳ１４０〜Ｓ１６０）、その際、針にかかった獲物により釣り竿がしなる様子を表す第２釣り動画をＲ回繰り返して表示する。また、ステップＳ１６０の後、Ｐ番目の画像を拡大率Ｅに応じた大きさでＬＣＤに表示する（ステップＳ１７０）。【選択図】図５
2011244121.tif 000002
【特許請求の範囲】
【請求項１】
複数の表示用画像を順次表示するスライドショーを行うにあたり、該表示用画像を表示する前に、魚釣りに見立てて該表示用画像を釣る様子及び該表示用画像が釣れた様子を表す釣り動画を表示する画像表示装置であって、
画像を表示する画像表示手段と、
前記複数の表示用画像を記憶する画像記憶手段と、
前記釣り動画を記憶する釣り動画記憶手段と、
前記表示用画像のデータサイズが大きいほど大きい獲物が釣れそうな様子を表すように前記釣り動画を前記画像表示手段に表示する釣り動画表示処理と、該動画表示処理の後該表示用画像を該画像表示手段に表示する画像表示処理と、を前記複数の表示用画像について順次行う表示制御手段と、
を備えた画像表示装置。
【請求項２】
前記動画記憶手段は、針に獲物がかかって釣り竿がしなる様子を表す動画パターンを含む前記釣り動画を記憶する手段であり、
前記表示制御手段は、前記釣り動画表示処理において、前記釣り動画のうち前記釣り竿がしなる様子を示す動画パターンを長く前記画像表示手段に表示することで前記大きい獲物が釣れそうな様子を表す手段である、
請求項１に記載の画像表示装置。
【請求項３】
前記表示制御手段は、前記釣り竿がしなる様子を示す動画パターンを連続して繰り返し表示する回数を増やすことにより、該動画パターンを長く前記画像表示手段に表示する手段である、
請求項２に記載の画像表示装置。
【請求項４】
前記表示制御手段は、前記釣り竿がしなる様子を示す動画パターンのフレームレートを小さい値にすることにより、該動画パターンを長く前記画像表示手段に表示する手段である、
請求項２に記載の画像表示装置。
【請求項５】
前記動画記憶手段は、針にかかった獲物による釣り竿のしなりの大きさが異なる複数の前記釣り動画を記憶する手段であり、
前記表示制御手段は、前記釣り動画表示処理において、前記複数の釣り動画のうち前記釣り竿のしなりの大きさが大きい釣り動画を前記画像表示手段に表示することで前記大きい獲物が釣れそうな様子を表す手段である、
請求項１に記載の画像表示装置。
【請求項６】
前記表示制御手段は、前記画像表示処理において、前記表示用画像のデータサイズが大きいほど前記表示用画像を前記表示手段に大きく表示する手段である、
請求項１〜５のいずれか１項に記載の画像表示装置。
【請求項７】
請求項１〜６のいずれか１項に記載の画像表示装置と、
前記画像表示処理により前記画像表示手段に表示中の表示用画像を印刷するよう指示する印刷指示をユーザーから入力する入力手段と、
前記印刷指示で指定された表示用画像に基づく画像を記録紙に印刷する印刷手段と、
を備えた印刷装置。
【発明の詳細な説明】
【技術分野】
【０００１】
本発明は、画像表示装置及び印刷装置に関する。
【背景技術】
【０００２】
従来、画像表示装置としては、複数の画像を順次表示するスライドショーを行うものが知られている。例えば、特許文献１には、画像内の被写体が有する縦方向の線と横方向の線とを検出し、線が多い方向に画像を移動表示する表示効果を伴ったスライドショーを行う画像表示装置が記載されている。また、画像内の人物の顔を検出して、この人物の顔をズームイン又はズームアウトする表示効果を伴ったスライドショーを行う画像表示装置が記載されている。このようにすることで、各画像に合った表示効果でスライドショーを行うことができるとしている。
【先行技術文献】
【特許文献】
【０００３】
【特許文献１】特開２００６−１２９４５３号公報
【発明の概要】
【発明が解決しようとする課題】
【０００４】
ところで、スライドショーの際に、表示された画像のデータサイズをユーザーが知りたいという要望がある。しかし、特許文献１に記載の画像表示装置では、データサイズの表示はなされていなかった。また、スライドショー中に表示されている画像のデータサイズを数値として表示すると、数値が画像の鑑賞の妨げとなるという問題があった。
【０００５】
本発明は、上述した課題に鑑みなされたものであり、表示用画像のデータサイズをユーザーが直感的に把握できるスライドショーを行うことを主目的とする。
【課題を解決するための手段】
【０００６】
本発明は、上述の主目的を達成するために以下の手段を採った。
【０００７】
本発明の画像表示装置は、
複数の表示用画像を順次表示するスライドショーを行うにあたり、該表示用画像を表示する前に、魚釣りに見立てて該表示用画像を釣る様子及び該表示用画像が釣れた様子を表す釣り動画を表示する画像表示装置であって、
画像を表示する画像表示手段と、
前記複数の表示用画像を記憶する画像記憶手段と、
前記釣り動画を記憶する釣り動画記憶手段と、
前記表示用画像のデータサイズが大きいほど大きい獲物が釣れそうな様子を表すように前記釣り動画を前記画像表示手段に表示する釣り動画表示処理と、該動画表示処理の後該表示用画像を該画像表示手段に表示する画像表示処理と、を前記複数の表示用画像について順次行う表示制御手段と、
を備えたものである。
【０００８】
この画像表示装置では、複数の表示用画像を順次表示するスライドショーを行うにあたり、魚釣りに見立てて表示用画像を釣る様子及び表示用画像が釣れた様子を表す釣り動画を画像表示手段に表示する。その際、表示用画像のデータサイズが大きいほど大きい獲物が釣れそうな様子を表すように画像表示手段に表示する釣り動画表示処理と、動画表示処理の後表示用画像を画像表示手段に表示する画像表示処理と、を複数の表示用画像について順次行う。こうすることで、ユーザーは釣れそうな獲物の大きさを表示用画像のデータサイズの大きさとして捉えることができる。これにより、動画表示処理で表示される釣り動画から表示用画像のデータサイズの大きさをユーザーが直感的に把握できる。
【０００９】
本発明の画像表示装置において、前記動画記憶手段は、針に獲物がかかって釣り竿がしなる様子を表す動画パターンを含む前記釣り動画を記憶する手段であり、前記表示制御手段は、前記釣り動画表示処理において、前記釣り動画のうち前記釣り竿がしなる様子を示す動画パターンを長く前記画像表示手段に表示することで前記大きい獲物が釣れそうな様子を表す手段としてもよい。こうすれば、釣り竿がしなる様子の表示時間の長さから表示用画像のデータサイズの大きさをユーザーが直感的に把握できる。この場合において、前記表示制御手段は、前記釣り竿がしなる様子を示す動画パターンを連続して繰り返し表示する回数を増やすことにより、該動画パターンを長く前記画像表示手段に表示する手段としてもよい。また、前記表示制御手段は、前記釣り竿がしなる様子を示す動画パターンのフレームレートを小さい値にすることにより、該動画パターンを長く前記画像表示手段に表示する手段としてもよい。こうすれば、動画パターンを複数種類用意することなく釣り竿がしなる様子の表示時間の長さを変えることができるため、動画記憶手段の記憶容量が小さくてすむ。
【００１０】
本発明の画像表示装置において、前記動画記憶手段は、針にかかった獲物による釣り竿のしなりの大きさが異なる複数の前記釣り動画を記憶する手段であり、前記表示制御手段は、前記釣り動画表示処理において、前記複数の釣り動画のうち前記釣り竿のしなりの大きさが大きい釣り動画を前記画像表示手段に表示することで前記大きい獲物が釣れそうな様子を表す手段としてもよい。こうすれば、釣り竿のしなりの大きさから表示用画像のデータサイズの大きさをユーザーが直感的に把握できる。
【００１１】
本発明の画像表示装置において、前記表示制御手段は、前記画像表示処理において、前記表示用画像のデータサイズが大きいほど前記表示用画像を前記表示手段に大きく表示する手段としてもよい。こうすれば、釣り動画からだけでなく、表示用画像の表示される大きさからもデータサイズの大きさをユーザーが直感的に把握できる。
【００１２】
本発明の印刷装置は、
上述したいずれかの本発明の画像表示装置と、
前記画像表示処理により前記画像表示手段に表示中の表示用画像を印刷するよう指示する印刷指示をユーザーから入力する入力手段と、
前記印刷指示で指定された表示用画像に基づく画像を記録紙に印刷する印刷手段と、
を備えたものである。
【００１３】
この本発明の印刷装置では、上述した画像表示処理により前記画像表示手段に表示中の表示用画像を印刷するよう指示する印刷指示をユーザーから入力すると、印刷指示で指定された表示用画像に基づく画像を記録紙に印刷する。ここで、データサイズが大きい表示用画像ほど画質の高い画像すなわち印刷結果が高品質となる画像であることが多い。そして、ユーザーは印刷結果が高品質となるか否かを考慮して印刷を指示するか否かを決定したい場合がある。このような場合に、この印刷装置では表示中の表示用画像のデータサイズの大きさをユーザーが直感的に把握できるため、ユーザーが印刷を指示するか否かの判断をしやすくできる。
【図面の簡単な説明】
【００１４】
【図１】プリンター２０の外観を示す外観斜視図。
【図２】プリンター２０の機能ブロックを示すブロック図。
【図３】釣り動画記憶領域６２ａに動画が記憶されている様子を表す説明図。
【図４】第１釣り動画７１，第２釣り動画７２，釣り成功動画７３の説明図。
【図５】スライドショー実行処理の一例を示すフローチャート。
【図６】データサイズＤと繰り返し数Ｒとの対応関係を表すマップの一例。
【図７】データサイズＤと拡大率Ｅとの対応関係を表すマップの一例。
【図８】ステップＳ１６０〜Ｓ１７０におけるＬＣＤ２５の様子を示す説明図。
【発明を実施するための形態】
【００１５】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１６】
本実施形態のプリンター２０は、印刷機構４０（図２参照）を内蔵しＬ版サイズの記録紙Ｓに印刷を行うフォトプリンターとして構成されている。プリンター２０の外観としては、図１に示すように、本体２１の上面には本体２１を持ち運ぶための取っ手２２が、本体２１の背面にはセットした記録紙Ｓを自動給紙するオートシートフィーダー２３が、本体２１の前面には印刷機構４０により印刷された記録紙Ｓを保持する排紙トレイ２４と印刷対象の画像や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し印刷画像選択画面で押されると印刷枚数や画像の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進んだりするためのＯＫボタン３６と、一つ前の画面に戻る戻るボタン３７と、印刷を開始する印刷ボタン３８と、設定画面を表示する設定ボタン３９とを備えている。
【００１７】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから記録紙Ｓに向けてインクを吐出する印刷ヘッド４５と、副走査方向に記録紙Ｓを搬送する搬送ローラー４６とを備えている。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１８】
ＬＣＤ２５は、ＬＣＤコントローラー５４による表示制御を受けて文字や図形，記号などを表示する。ＬＣＤ２５は、本実施形態では、８００ドット×４８０ドットの画素により構成されている。
【００１９】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、を備え、これらはバス５９を介して互いに電気的に接続されている。なお、メモリーカードＭＣには、例えばデジタルカメラで撮影された複数の画像が記憶されている。
【００２０】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるフラッシュメモリー６４と、電源ボタン２６からの操作信号を入力するインターフェース６５（Ｉ／Ｆ）とを備える。このメインコントローラー６０は、メモリーカードスロット５６に挿入されたメモリーカードＭＣからデータを入力したり、赤外線通信コントローラー５２からの操作信号や印刷機構４０の各部からの検出信号などを入力したりする。また、メインコントローラー６０は、メモリーカードＭＣに画像を保存したり、プリンターＡＳＩＣ４８への指令信号やＬＣＤコントローラー５４への制御信号を出力したりする。なお、ＲＯＭ６２には、メモリーカードＭＣに記憶された画像を順次ＬＣＤ２５に表示するスライドショー実行処理を行う図示しないスライドショー実行プログラムが記憶されている。詳しくは後述するが、このスライドショー実行処理では、メモリーカードＭＣに記憶された各画像を順次表示するにあたり、魚釣りに見立てて表示する画像を釣る様子及び画像が釣れた様子を表す釣り動画をＬＣＤ２５に表示するようになっている。また、ＲＯＭ６２には、各種処理プログラムを記憶する図示しない記憶領域の他に、スライドショー実行処理で用いる釣り動画を記憶する釣り動画記憶領域６２ａを有している。
【００２１】
釣り動画記憶領域６２ａには、スライドショー実行処理に用いる釣り動画として、第１釣り動画７１，第２釣り動画７２，釣り成功動画７３が記憶されている。図３は、釣り動画記憶領域６２ａに動画が記憶されている様子を表す説明図であり、図４（ａ）〜（ｃ）は第１釣り動画７１，第２釣り動画７２，釣り成功動画７３の一例を表す説明図である。第１釣り動画７１，第２釣り動画７２，釣り成功動画７３はいずれもペンギンのキャラクターが釣りを行う様子を表す動画である。具体的には、第１釣り動画７１は、釣り針を水中に投げ入れるところから釣り針に獲物がかかるところまでの一連の様子を表す動画である。第２釣り動画７２は、針に獲物がかかって釣り竿がしなる様子を表す動画である。釣り成功動画７３は、釣りが成功し釣果としてメモリーカードＭＣに記憶されたいずれかの画像が釣れた様子を表す動画であり、釣れた画像を表示するための画像表示部分７４を有している。
【００２２】
次に、こうして構成された本実施形態のプリンター２０の動作、特に、上述したスライドショー実行処理を行う場合の動作について説明する。図５は、メインコントローラー６０のＣＰＵ６１により実行されるスライドショー実行処理の一例を示すフローチャートである。この処理は、例えば、メモリーカードスロット５６にメモリーカードＭＣが挿入された状態で、ユーザーがスライドショーを行うよう指示したときに実行される。スライドショーを行う指示は、例えば以下のようにしてユーザーから受け付ける。まず、ユーザーによりトップメニューボタン３３が押されると、そのことを赤外線通信コントローラー５２を介して検出したＣＰＵ６１は、ＬＣＤコントローラー５４を制御してＬＣＤ２５に図示しないトップメニュー画面を表示する。トップメニュー画面には、メモリーカードＭＣやフラッシュメモリー６４に記憶されている画像を順次表示するための「フォトスライドショー」や画像を印刷するための「写真の印刷」，画像を多面レイアウトで印刷するレイアウト印刷や画像にフレームを付けて印刷するフレーム印刷などを行うための「いろいろな印刷」，メモリーカードＭＣ内のデータをフラッシュメモリー６４にバックアップするための「データ管理」の項目がある。ユーザーが上下左右ボタン３５により「フォトスライドショー」を選択し、ＯＫボタン３６を押すと、そのことを赤外線通信コントローラー５２を介してＣＰＵ６１が検出して、スライドショー実行プログラムによりスライドショー実行処理を開始する。
【００２３】
このスライドショー実行処理を開始すると、ＣＰＵ６１は、まず、メモリーカードコントローラー５８を介して、メモリーカードＭＣに記憶されている画像の画像数Ｎを取得し（ステップＳ１００）、メモリーカードＭＣに記憶された何番目の画像を表示するかを表すポインターＰを値１に初期化する（ステップＳ１１０）。続いて、ＣＰＵ６１は、Ｐ番目の画像のデータサイズＤをメモリーカードコントローラー５８を介してメモリーカードＭＣから取得する（ステップＳ１２０）。ここで、Ｐ番目の画像とは、メモリーカードＭＣにおける画像を画像のファイル名順に並べたときのＰ番目の画像であるものとした。なお、他の順序におけるＰ番目の画像としてもよく、例えば画像の作成年月日順に並べたときのＰ番目の画像としてもよい。また、Ｐ番目の画像のデータサイズＤとは、Ｐ番目の画像が占めるメモリーカードＭＣ中の記憶容量の値であり、本実施形態ではメガバイト単位の数値として取得するものとした。
【００２４】
続いて、ＣＰＵ６１は、ステップＳ１２０で取得したデータサイズＤに基づいて、繰り返し数Ｒ及び拡大率Ｅを導出する（ステップＳ１３０）。ここで、繰り返し数Ｒとは、第２釣り動画を連続して繰り返し表示する回数である。また、拡大率Ｅとは、Ｐ番目の画像をＬＣＤ２５に表示する際の拡大率である。この繰り返し数Ｒ及び拡大率Ｅは、データサイズＤが大きいほど大きい値に設定されるようになっている。本実施形態では、あらかじめデータサイズＤと繰り返し数Ｒ，拡大率Ｅとの対応関係をマップとしてＲＯＭ６２に記憶しておき、このマップとデータサイズＤとを用いて繰り返し数Ｒ，拡大率Ｅを導出するものとした。データサイズＤと繰り返し数Ｒとの対応関係を表すマップの一例を図６に、データサイズＤと拡大率Ｅとの対応関係を表すマップの一例を図７に示す。図６に示すように、本実施形態では、繰り返し数Ｒは値１〜４のいずれかの整数値であり、データサイズＤが閾値Ｄ１未満のときは値１、閾値Ｄ１以上閾値Ｄ２未満のときは値２、閾値Ｄ２以上閾値Ｄ３未満のときは値３、閾値Ｄ３以上のときは値４が導出されるものとした。また、図７に示すように、本実施形態では、拡大率Ｅは５０％〜１００％の間の値であり、データサイズＤが閾値Ｄ４以下のときは５０％、閾値Ｄ４以上閾値Ｄ５以下のときは５０〜１００％の値、閾値Ｄ５以上のときは１００％が導出されるものとした。なお、閾値Ｄ１〜Ｄ５は、例えば一般的なデジタルカメラにおける高画質で撮影した画像のデータサイズと低画質で撮影した画像のデータサイズとの範囲内の値になるように設定すればよい。
【００２５】
次に、ＣＰＵ６１は、第１釣り動画７１をＬＣＤ２５に表示し（ステップＳ１４０）、その後第２釣り動画７２を繰り返し数Ｒ回だけ連続して繰り返しＬＣＤ２５に表示する（ステップＳ１５０）。これにより、ＬＣＤ２５には、上述したペンギンのキャラクターが釣り針を水中に投げ入れて針に獲物がかかり釣り竿がしなる一連の様子が表示される。ここで、繰り返し数Ｒは、ステップＳ１３０において、今回の表示対象であるＰ番目の画像のデータサイズＤが大きいほど大きい値に設定されている。そのため、データサイズＤが大きいほど釣り竿がしなる様子を表す第２釣り動画が繰り返し表示される。これにより、データサイズＤが大きいほど釣り竿がしなる様子が長くＬＣＤ２５に表示され、大きい獲物が釣れそうなイメージをユーザーに与えることができる。
【００２６】
ステップＳ１５０の処理を行うと、ＣＰＵ６１は、メモリーカードＭＣにおけるＰ番目の画像を釣り成功動画７３の画像表示部分７４に組み込んだ動画をＬＣＤ２５に表示する（ステップＳ１６０）。なお、画像表示部分７４にＰ番目の画像を組み込む際には、画像表示部分７４の形状に合わせてＰ番目の画像を回転及び拡大縮小等の加工を適宜行う。そして、ステップＳ１６０の処理を行うと、ＣＰＵ６１は、Ｐ番目の画像を拡大率Ｅに基づく大きさで一定時間ＬＣＤ２５に表示する（ステップＳ１７０）。具体的には、拡大率Ｅが１００％であれば、Ｐ番目の画像をＬＣＤ２５の画面からはみ出さない範囲で最大の大きさまで拡大してＬＣＤ２５に表示する。拡大率Ｅが１００％未満であるときには、拡大率Ｅが１００％のときと比べてＰ番目の画像の縦及び横の長さを拡大率Ｅの値に応じて縮小して表示する。例えば、拡大率Ｅが５０％であれば、拡大率Ｅが１００％のときと比べて画像の縦及び横の長さをそれぞれ半分にしてＬＣＤ２５に表示することになる。ステップＳ１６０〜ステップＳ１７０の処理によりＬＣＤ２５に表示される釣り成功動画及びＰ番目の画像の一例を図８（ａ），（ｂ）に示す。図８（ａ）は拡大率Ｅが１００％の場合の一例であり、釣り成功動画の後にＰ番目の画像がＬＣＤ２５の画面からはみ出さない範囲で最大の大きさで表示されている。一方、図８（ｂ）は拡大率Ｅが５０％の場合の一例であり、釣り成功動画の後にＰ番目の画像はＬＣＤ２５の画面一杯まで表示されず、小さく表示される。ここで、拡大率Ｅは、ステップＳ１３０において、今回の表示対象であるＰ番目の画像のデータサイズＤが大きいほど大きい値に設定されている。そのため、ステップＳ１７０ではデータサイズＤが大きいほどＬＣＤ２５にＰ番目の画像が大きく表示されることになる。以上のステップＳ１４０〜Ｓ１７０の処理により、ＬＣＤ２５に釣りを行う様子及びＰ番目の画像が釣れた様子を表す動画を表示しその後Ｐ番目の画像を表示するスライドショーが行われることになる。
【００２７】
ステップＳ１７０でＰ番目の画像を一定時間ＬＣＤ２５に表示すると、ＣＰＵ６１は、その一定時間の間にユーザーからの印刷指示を受け付けたか否かを判定する（ステップＳ１８０）。本実施形態のプリンター２０では、ステップＳ１７０によるＰ番目の画像の表示中に、印刷枚数設定ボタン３４のプラスボタンがユーザーに押されると、表示中の画像の印刷指示を受け付けるようになっている。そのため、このステップＳ１８０の判定は、Ｐ番目の画像をＬＣＤ２５に表示している間に、印刷枚数設定ボタン３４のプラスボタンが押されたことを赤外線通信コントローラー５２を介してＣＰＵ６１が検出したか否かを判定することにより行う。そして、ステップＳ１８０で肯定的な判定をすると、Ｐ番目の画像を後で印刷するための予約画像として予約リストに登録する（ステップＳ１９０）。具体的には、Ｐ番目の画像のファイル名及びメモリーカードＭＣ中の記憶場所をフラッシュメモリー６４に設けられた予約リスト領域に記憶する。なお、予約リスト領域には、複数の予約画像を登録することが可能である。
【００２８】
ステップＳ１８０で否定的な判定をするか又はステップＳ１９０の処理を行うと、ＣＰＵ６１は、ポインターＰを値１インクリメントし（ステップＳ２００）、ポインターＰがステップＳ１００で取得した画像数Ｎを超過しているか否かを判定する（ステップＳ２１０）。そして、ＣＰＵ６１がステップＳ２１０で否定的な判定をすると、ステップＳ１２０に戻り以降の処理を繰り返す。これにより、メモリーカードＭＣに記憶されているＮ個の画像全てを順次表示するスライドショーが行われる。そして、Ｎ個の画像全てのスライドショーが終了すると、ＣＰＵ６１はステップＳ２１０で肯定的な判定をする。
【００２９】
ステップＳ２１０で肯定的な判定をすると、ＣＰＵ６１は、フラッシュメモリー６４の予約リスト領域にステップＳ１９０で登録した予約画像が存在するか否かを判定し（ステップＳ２２０）、予約画像が１つも存在しないときにはスライドショー実行処理を終了する。一方、予約画像が存在するときには、ＣＰＵ６１は、予約画像のプレビュー画面をＬＣＤ２５に表示する（ステップＳ２３０）。プレビュー画面を表示すると、ＣＰＵ６１は、ユーザーが印刷ボタン３８を押して印刷開始が指示されるのを待ち（ステップＳ２４０）、印刷開始が指示されると、プリンターＡＳＩＣ４８を介して印刷機構４０を制御して予約画像を記録紙Ｓに印刷する印刷処理を行い（ステップＳ２５０）、スライドショー実行処理を終了する。
【００３０】
ここで、本実施形態の構成要素と本発明の構成要素との対応関係を明らかにする。本実施形態のプリンター２０が本発明の画像表示装置及びこれを備えた本発明の印刷装置に相当し、ＬＣＤ２５が画像表示手段に相当し、メモリーカードＭＣが画像記憶手段に相当し、ＲＯＭ６２が動画記憶手段に相当し、ＣＰＵ６１が表示制御手段に相当し、リモートコントロール装置３０が入力手段に相当し、プリンターＡＳＩＣ４８及び印刷機構４０が印刷手段に相当する。
【００３１】
以上詳述した本実施形態のプリンター２０によれば、メモリーカードＭＣに記憶された複数の画像を順次表示するスライドショーを行うにあたり、魚釣りに見立てて画像を釣る様子及び画像が釣れた様子を表す第１釣り動画７１，第２釣り動画７２，釣り成功動画７３をＬＣＤ２５に表示し、その後、釣れた画像を表示する。その際、画像のデータサイズＤが大きいほど、釣り竿がしなる様子を表す第２釣り動画７２を連続して繰り返し表示する回数を増やす。こうすることで、データサイズＤが大きいほど釣り竿がしなる様子の表示時間が長くなり、大きい獲物が釣れそうなイメージをユーザーに与えることができる。これにより、ユーザーは、釣れそうな獲物の大きさを釣れた画像（ステップＳ１７０で表示される画像）のデータサイズＤの大きさとして捉えることができる。そのため、釣り竿がしなる様子の表示時間の長さから表示用画像のデータサイズＤの大きさをユーザーが直感的に把握できる。また、第２釣り動画７２を繰り返して表示する回数を増やすことにより釣り竿がしなる様子の表示時間を長くしているため、例えば釣り竿がしなる様子の表示時間の異なる動画パターンを複数種類用意するものに比してＲＯＭ６２に記憶する動画の記憶容量が小さくてすむ。
【００３２】
また、データサイズＤが大きいほどステップＳ１７０においてＬＣＤ２５に画像を大きく表示する。そのため、第２釣り動画７２の繰り返し回数からだけでなく、画像が表示される大きさからもデータサイズＤの大きさをユーザーが直感的に把握できる。
【００３３】
さらに、ステップＳ１７０における表示中の画像を印刷するよう指示する印刷指示をユーザーから入力すると、印刷指示で指示された画像をステップＳ２５０で記録紙Ｓに印刷する。ここで、データサイズＤが大きい画像ほど画質の高い画像すなわち印刷結果が高品質となる画像であることが多い。そして、ユーザーは印刷結果が高品質となるか否かを考慮して印刷を指示するか否かを決定したい場合がある。このような場合に、このプリンター２０ではステップＳ１５０やステップＳ１７０の処理により、画像のデータサイズＤの大きさをユーザーが直感的に把握できるため、ユーザーが表示中の画像の印刷を指示するか否かの判断をしやすくできる。
【００３４】
なお、本発明は上述した実施形態に何ら限定されることはなく、本発明の技術的範囲に属する限り種々の態様で実施し得ることはいうまでもない。
【００３５】
例えば、上述した実施形態では、データサイズＤが大きいほど第２釣り動画７２の繰り返し数Ｒを大きい値にすることで、データサイズＤが大きいほど第２釣り動画７２の表示時間が長くなるようにしたが、他の方法により表示時間を長くしてもよい。例えば、データサイズＤが大きいほど第２釣り動画７２のフレームレートを小さい値にすることにより、第２釣り動画７２の表示時間を長くしてもよい。また、例えば釣り竿がしなる様子の表示時間の異なる複数の第２釣り動画をＲＯＭ６２に記憶しておき、データサイズＤが大きいほど表示時間の長い第２釣り動画を表示するものとしてもよい。さらに、データサイズＤが大きいほど大きい獲物が釣れそうな様子をＬＣＤ２５に表示するものであれば釣り竿がしなる様子の表示時間の長さを変えるものに限らずどのように動画を表示してもよい。例えば、針にかかった獲物による釣り竿のしなりの大きさが異なる複数の第２釣り動画をＲＯＭ６２に記憶しておき、データサイズＤが大きいほどステップＳ１５０では釣り竿のしなりが大きい第２釣り動画を表示するものとしてもよい。
【００３６】
上述した実施形態では、Ｐ番目の画像のデータサイズＤとは、Ｐ番目の画像が占めるメモリーカードＭＣ中の記憶容量の値であるものとしたが、これに限らず他の値を画像のデータサイズＤとしてもよい。例えば、画像が圧縮して記憶されているときには解凍後の画像のデータ量をデータサイズＤとしてもよいし、画像の画素数又は解像度をデータサイズＤとしてもよい。
【００３７】
上述した実施形態では、ステップＳ１５０で第２釣り動画７２を表示した後に必ず釣り成功動画７３を表示するものとしたが、釣りが失敗したことを表す釣り失敗動画（例えば長靴が釣れる動画や、釣り糸が切れる動画など）をＲＯＭ６２に記憶しておき釣り成功動画７３の代わりに釣り失敗動画をＬＣＤ２５に表示する場合があるものとしてもよい。この場合、ステップＳ１２０で取得したデータサイズＤが所定の閾値以下の値であるときには、ステップＳ１６０〜ステップＳ１９０の処理を行う代わりに釣り失敗動画を表示してステップＳ２００に進むものとしてもよい。こうすることで、データサイズＤが所定の閾値より小さいときには、その画像はＬＣＤ２５に表示されず、ユーザーはステップＳ１８０の印刷指示ができないことになる。このとき、印刷機構４０で印刷しても良好な印刷結果が得られないような低画質な画像とみなせるデータサイズＤの上限値を所定の閾値として設定しておけば、ユーザーが低画質な画像を印刷してしまうことを適切に防止できる。
【００３８】
上述した実施形態では、繰り返し数Ｒ，拡大率Ｅの値はデータサイズＤと図６，図７のマップとにより導出するものとしたが、データサイズＤが大きいほど繰り返し数Ｒ，拡大率Ｅが大きい値になるものであればどのように導出してもよい。例えば図６，７以外のマップにより導出してもよいし、繰り返し数Ｒ、拡大率Ｅをそれぞれ導出する数式にデータサイズＤを代入することにより導出してもよい。
【００３９】
上述した実施形態では、本発明の実施形態としてプリンター２０について説明したが、プリンターＡＳＩＣ４８及び印刷機構４０を備えずメモリーカードＭＣに記憶された画像をＬＣＤ２５に表示する画像表示装置としてもよい。画像表示装置として、例えば、デジタルフォトフレームであってもよい。
【符号の説明】
【００４０】
２０  プリンター、２１  本体、２２  取っ手、２３  オートシートフィーダー、２４  排紙トレイ、２５  液晶ディスプレイ（ＬＣＤ）、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５２  赤外線通信コントローラー、５４  ＬＣＤコントローラー、５６  メモリーカードスロット、５８  メモリーカードコントローラー、６０  メインコントローラー、６１  ＣＰＵ、６２  ＲＯＭ、６２ａ  釣り動画記憶領域、６３  ＲＡＭ、６４  フラッシュメモリー、６５  インターフェース（Ｉ／Ｆ）、７１  第１釣り動画、７２  第２釣り動画、７３  釣り成功動画、７４  画像表示部分、ＭＣ  メモリーカード、Ｓ  記録紙。
【図１】
2011244121.tif 000003
【図２】
2011244121.tif 000004
【図３】
2011244121.tif 000005
【図４】
2011244121.tif 000006
【図５】
2011244121.tif 000007
【図６】
2011244121.tif 000008
【図７】
2011244121.tif 000009
【図８】
2011244121.tif 000010